(57)【特許請求の範囲】
【請求項１】
複数の相互作用する可動のステップ（２０）をもつエスカレータの如き乗客運搬装置であって、各ステップ（２０）が少なくとも１つのステップにしるしを表示する手段を有する隣接したステップ（２０）間の相対的移動を可能ならしめる限定された外部輪郭をもち、前記手段は前記ステップに締着されたカバー（１２）を含み、前記カバーは前記ステップの前記限定された外部輪郭に対応する外部輪郭をもって成る乗客運搬装置において、前記カバーは前記ステップと共同しかつ前記カバーの２つの対向する縁の各々の上に掛合させられる対向するリップ部を含む取付け手段によって前記ステップに締着され、前記リップ部の少なくとも１つは前記カバーを前記ステップと掛合、離脱させるべく、前記ステップに対して相対的に移動でき、前記取付け手段は２つのセクション（１３、１４）からなる前記カバー（１２）の下にある支持面を含み、前記対向するリップ部のうちの１つは各前記セクションに対して固定されており、前記セクションのうちの少なくとも１つは前記ステップに対して相対的に前記１つのリップ部と共に移動できることを特徴とする乗客運搬装置。
【請求項２】
前記少なくとも１つの可動のセクションが前記ステップに対して相対的に旋回移動できることを特徴とする請求項１に記載の乗客運搬装置。
【請求項３】
１つのセクション（１４）が前記ステップに対してかつ他方のセクションに対して相対的に摺動運動でき、前記対向するリップ部間の距離を前記セクションの移動によって、前記カバーの前記対向する縁間の距離より大きくしたり小さくしたりすることができることを特徴とする請求項２に記載の乗客運搬装置。
【請求項４】
前記対向するリップ部はそれらを相互連結するねじ山付きロッド（２５）を含む手段の作用によって移動できることを特徴とする請求項１に記載の乗客運搬装置。
【請求項５】
前記カバーがステップのライザーに締着される請求項１に記載の乗客運搬装置において、前記カバーの前記２つの対向する縁がライザーの上縁と下縁を含み、下部の前記対向リップ部は、前記カバーを上部の前記対向リップ部と掛合、離脱させるべく、前記ステップに対して相対的に前記カバーと共に移動できることを特徴とする請求項１に記載の乗客運搬装置。
【発明の詳細な説明】
【０００１】
【発明の属する技術分野】
本発明は、ライザー（即ち垂直面）又はエスカレータステップの踏み板（水平面）上にサイン又はその他のしるしを取付けるための特別の用途をもつ一般的な広告分野に関するものである。
【０００２】
【従来の技術】
特許協力条約の下でNo.WO92/22491 号として公告された国際特許出願 PCT/GB92/01037 号は、ライザー又は踏み板上に取付けたサイン又はしるしをもち、サインを保護しかつ桟付きのステップ輪郭に適合する透明なカバープレートをもつエスカレータステップを開示している。前記サインは、カバープレートとしるしの両方を貫通してステップ上の支持プレートに掛合する複数の締着具によってステップ上に取付けられる。
【０００３】
上記システムに含まれ得る困難性はサインを除去又は交換するためにカバープレートとサインを締着したり、取り外したりする操作にある。締着具それ自体は紛失、破損する傾向があり、サインの取扱いに困難性があり、また締着具は交換中に傷が付いたり、破損したりするかも知れない。何れにしても、作業は時間がかかることが分かっている。
【０００４】
【発明が解決しようとする課題】
本発明の目的は、少なくとも部分的に上記困難性を克服し、又は少なくとも有用な選択対象を社会に提供することにある。
【０００５】
【課題を解決するための手段】
本発明は１態様として、複数の相互作用する可動のステップをもつエスカレータの如き乗客運搬装置であって、各ステップが少なくとも１つのステップにしるしを表示する手段を有する隣接したステップ間の相対的移動を可能ならしめる限定された外部輪郭をもち、前記手段は前記ステップに締着されたカバーを含み、前記カバーは前記ステップの前記限定された外部輪郭に対応する外部輪郭をもって成る乗客運搬装置において、前記カバーは前記ステップと共同しかつ前記カバーの２つの対向する縁の各々の上に掛合させられる対向するリップ部を含む取付け手段によって前記ステップに締着され、前記リップ部の少なくとも１つは前記カバーを前記ステップと掛合、離脱させるべく、前記ステップに対して相対的に移動できることを特徴とする乗客運搬装置を提供する。
【０００６】
好適には、前記取付け手段は２つのセクションからなる前記カバーの下にある支持面を含み、前記対向するリップ部のうちの１つは各前記セクションに対して固定されており、前記セクションのうちの少なくとも１つは前記ステップに対して相対的に前記１つのリップ部と共に移動できる。
【０００７】
好適には、可動のセクションは前記ステップに対して相対的に旋回運動可能である。
好適には、１つのセクションが前記ステップに対してかつ他方のセクションに対して相対的に摺動運動でき、前記対向するリップ部間の距離を前記セクションの移動によって、前記カバーの前記対向する縁間の距離より大きくしたり小さくしたりすることができる。
【０００８】
好適には、前記対向するリップ部はそれらを相互連結するねじ山付きロッドを含む手段の作用によって移動できる。
好適には、前記カバーの前記２つの対向する縁がライザーの上縁と下縁を含み、下部の前記対向リップ部は、前記カバーを上部の前記対向リップ部と掛合、離脱させるべく、前記カバーと共に前記ステップに対して相対的に移動できる。
【０００９】
本発明の上記及びその他の特徴は、図示の好適実施例についての以下の説明から明らかになるであろう。
【００１０】
【発明の実施の形態】
図示の如く、本発明の好適型式はエスカレータのライザー組立体１０からなる。この組立体によってサイン１１又は他のしるし及びカバープレート１２がエスカレータステップ２０のライザー２１に取付けられる。その好適型式では、本発明はライザー２１にねじ操作型のクランプシステムを備える。このシステムによってカバープレート１２は１対のジョーにより着脱自在に保持することができる。
【００１１】
ライザー組立体１０は上部支持プレート１３と下部支持プレート１４を含み、これらプレートは連動リンク１５によって連結される。上記連動リンクによって、前記２つのプレート間の摺動及び旋回運動が可能となる。好適には、図示の如く、前記リンク１５は反対向きのフック付きとしたフランジ１５ａ、１５ｂからなり、好適には平行なフランジ１６ａ、１６ｂを備えて、支承面として働きかつ２つのプレート１３と１４を整列状態に保持するようになす。図１に示す如き閉鎖位置では、プレート１３と１４は、ライザー２１の基本面の背後で実質上同じ丸み付き面内にある。
【００１２】
両プレート１３と１４は前方突出のリップ部を含み、上部プレート１３は上縁にフック付きリップ部１７をもち、下部プレート１４は下縁にフック付きリップ部１８をもつ。上部リップ部１７は好適には、密封素子１９を収容するためにアンダーカットしており、下部リップ部１８は溝を形成するよう反曲しており、この溝内にカバープレート１２の下縁が据え付けられる。
【００１３】
上部支持プレート１３はステップ２０の範囲内に締着され、通常の使用では移動しない。
【００１４】
好適には、組立体１０は１つ又はそれ以上のガセット２２を含み、前記ガセットは上部支持プレート１３を所定位置に締着、支持しそして、該プレート１３の背後から突出する突出部２３に溶接される。
【００１５】
下部支持プレート１４はリンク１５において上部プレート１３に対して相対的に移動するよう配置し、連結ロッド２５によって所定位置に保持される。ロッド２５は１対の取付け組立体２６と２７の間で、支持プレート１３の背後で下方に通過する。
【００１６】
上部取付け組立体２６はプレート１３の背後に固定され、かつハウジング２９中にナット２８を含む。ロッド２５は前記ナット２８に掛合するようねじ山付きとなし、かつスパナ又はキイの如き工具で容易に回転可能となす手段３０を備えて、ロッド２５を回転させてナット２８に対して相対的に上下動できるようになす。開口３１がステップ２０に設けられて、かかる工具を手段３０にアクセスできるようになす。
【００１７】
下部取付け組立体２７は上部取付けプレート１３の背後から突出するプレート３２と、下部取付けプレート１４の背後から突出するプレート３３とからなる。上記各プレートはロッド２５が通過する開口をもつ。前記ロッドは下部プレート３３の開口から脱出するのを防止するキャップ３５を備える。プレート３２と３３間のばね３４が下部プレートをこのキャップに対してしっかり押圧する。ロッド２５が回されるにつれ、キャップ３５は上部支持プレート１３に対して相対的に上下動させられ、下部プレートはプレート３３によってキャップと共に上下動し、連結部１５において摺動又は旋回する。プレート３３は好適には、プレートが上下動するときキャップ３５を支えとして揺動又は旋回することができ、下部支持プレート１４の旋回運動を可能ならしめる。
【００１８】
図１に示すように、該装置が閉鎖構造であれば、カバープレート１２は、ライザー２１の背後で押し上げられて密封素子１９と接触する上部フランジ３６によって及び下部支持プレート１４の下部リップ部１８によって形成された溝内に保持される下部フランジ３７によってライザー２１上の所定位置に保持される。ロッド２５が回して下げられるにつれて、下部支持プレート１４は下方かつ後方の図２に示す位置へ移動する。そうなると、カバープレート１２は下部支持プレートと共に、上部フランジ３６がライザー２１の背後から解放されるまで、下方へ移動する。
【００１９】
下部支持プレート１４がリンク１５上で旋回して後退すると、カバープレート１２は図２に示すように、前方へ傾き、サイン１１へのアクセスを可能となす。
【００２０】
こうして、サイン１１は単一の回転締着具３０によって除去、交換することができる。カバープレート１２の移動と掛合は比較的スムースでかつ一様であり、不整列又はその他の起こり得る問題点を減らすことができる。
【００２１】
サインは、該組立体が開放状態にあるとき、該組立体が閉鎖されるときにカバープレート１２の背後に真っ直ぐにかつ直角配列をなして位置するよう、下部支持プレート１４の頂部に当接して着座することができる。
【００２２】
工業的応用例
本発明の好適型式では、隠されたねじ−クランプ式締着システムは破損の危険性が最小限となりかつエスカレータステップのライザー上のサインの交換を容易となすことができる。前記システムはまた、色々な種類のサイン又はエスカレータ上に表示すべき広告又は宣伝用資料に適用できる。
【００２３】
変更例
本発明には発明の範囲内で種々の変更を加えることができることは明らかであろう。
【００２４】
例えば、ねじ−ロッド式クランプ機構は前述の如く好適であるが、その代わりに、レバー操作システムを下部支持プレートを開放位置と閉鎖位置間で昇降させるために使用することができる。同様に、ピン・スロット式コネクタ又は弾性リンクの如き色々異なった連結機構を上記の摺動・旋回式リンクの代わりに使用することができる。カバープレートを保持する両リップ部はカバープレートを保持又は解放するためにロッド２５の作用によって動かされるか又は上部リップ部が下部リップ部の代わりに動かされることができる。
【００２５】
前記リップ部はライザーの上縁と下縁に配置するのが好適であるが、、踏み板上の着脱自在のカバーが又はリップ部が、ライザーの２つの垂直外縁に沿って配置されるという構成を採用することもできる。
【００２６】
構造、寸法及び配置のその他の詳細は色々なステップ又は用途に適合するよう本発明の範囲内で変更することができる。
【図面の簡単な説明】
【図１】本発明の好適実施例を閉鎖状態において示す断面、側面図である。
【図２】図１の実施例を開放状態において示す断面、側面図である。
【符号の説明】
１０  ライザー組立体
１１  サイン
１２  カバープレート
１３  上部支持プレート
１４  下部支持プレート
１５  連動リンク
１５ａ、１５ｂ  フランジ
１６ａ、１６ｂ  平行フランジ
１７、１８  フック付きリップ部
１９  密封素子
２０  エスカレータステップ
２１  ライザー
２３  突出部
２５  ロッド
２６、２７  取付け組立体
２８  ナット
３１  開口
３５  キャップ
３６、３７  上部と下部のフランジ
【図１】
0003815822.tif 000002
【図２】
0003815822.tif 000003